(57)【要約】【課題】数個のＵＳＢメモリーを接続でき、ＵＳＢメモリー内の音楽データを選択して読取り、さらに接続したＵＳＢメモリーの相互録音を行うことができるＵＳＢオーディオプレーヤーを提供する。【解決手段】  ＵＳＢオーディオプレーヤー１上に二つのＵＳＢポート１１、数個の外接端子１２、数個の制御ボタン１３を設置し、前記ＵＳＢポート１１はそれぞれ二つのＵＳＢメモリー２をＵＳＢコネクタ２１によって接続することができ、ＵＳＢオーディオプレーヤー１は二つのＵＳＢメモリー２内の音楽ファイルを任意に読み取ることができ、前記音楽信号を外接端子１２によって接続された外部装置に出力することができ、前記ＵＳＢオーディオプレーヤー１はＵＳＢメモリー２内に保存されている音楽を選択して再生し、また、二つのＵＳＢメモリー２にデータの相互録音を行わせることができ、必ずコンピュータを使用しなければならないという制限を解決する。【選択図】  図１
0003106234.tif 000002
【実用新案登録請求の範囲】
【請求項１】
ＵＳＢオーディオプレーヤーであり、
前記ＵＳＢオーディオプレーヤー上には二つ以上のＵＳＢポート、数個の外接端子、数個の制御ボタンを設けることができ、
前記ＵＳＢポートはそれぞれ別々に数個のＵＳＢメモリーをＵＳＢコネクタによって接続することができ、ＵＳＢオーディオプレーヤーによって数個のＵＳＢメモリー内のオーディオファイルを任意に読み取ることができ、そのオーディオ信号を外接端子から外部の装置に出力することができ、さらに数個の制御ボタンによって再生状態を制御することができ、
前記ＵＳＢオーディオプレーヤーはＵＳＢメモリー内に保存されている音楽を選択して再生できるだけではなく、数個のＵＳＢメモリーに相互録音を行わせることができることを特徴とするＵＳＢオーディオプレーヤー。
【請求項２】
前記ＵＳＢオーディオプレーヤーは一つのＵＳＢポートだけを設けることができ、一つのＵＳＢメモリーをＵＳＢコネクタによって接続することができ、ＵＳＢオーディオプレーヤーによってＵＳＢメモリー内のオーディオファイルを任意に読み取ることができ、そのオーディオ信号を外接端子から外部の装置に出力することができ、さらに数個の制御ボタンによって再生状態を制御することができることを特徴とする請求項１に記載のＵＳＢオーディオプレーヤー。
【請求項３】
前記外部装置はワイヤードヘッドホンまたはワイヤレスヘッドホンにすることができることを特徴とする請求項１または２に記載のＵＳＢオーディオプレーヤー。
【請求項４】
前記外部装置はスピーカーまたはアンプにすることができることを特徴とする請求項１または２に記載のＵＳＢオーディオプレーヤー。
【考案の詳細な説明】
【技術分野】
【０００１】
本考案はＵＳＢオーディオプレーヤーに係り、特にＵＳＢメモリー内に保存されている音楽を選択して再生する機能とＵＳＢメモリーの相互録音機能を具有するＵＳＢオーディオプレーヤーに関わる。
【背景技術】
【０００２】
近時、ＵＳＢ(Universal Serial Bus)インターフェイスと記憶媒体を一体化した所謂ＵＳＢメモリーは、使用者が必要な各種のデータを保存することができ、ファイルデータを携帯するのに便利であり、ＭＰ３ファイルの盛り上がりにより、ＵＳＢメモリーまたはコンピュータによって音楽を再生することは一種の流行になっており(例えば、特許文献１)、この流行下において、如何にこの流れと需要に符合した製品を設計するかは業者がたゆまぬ研究開発を行う方向となっている。
【０００３】
上述した従来の方式は、音楽を再生するという目的を達成できるが、使用上、下記のような欠点が存在する。
１  コンピュータは使用者が常に携帯することができないので、使用者がＵＳＢメモリー内の音楽を再生したい時やＵＳＢメモリー内のデータを相互録音したい時、使用上、種々の制限を受ける。
２  公知構造のＵＳＢメモリーにはＭＰ３を再生する機能が備わっているが、メモリー容量に限りがあり、使用者が満足できるほどの音楽を保存することができない。
３  公知構造のＵＳＢメモリーにはＭＰ３を再生する機能が備わっているが、出力上の要素によりスピーカーを外接して楽しむことができない。
４  使用者はもし大容量のＵＳＢメモリーを購入すれば比較的多くの音楽を保存することができ、数量の上での要求は満足できるが、比較的多くの費用が掛かってしまい、経済上不利である。
【０００４】
このことから分かるように、公知構造のＵＳＢメモリーによって音楽を再生する時、問題や不足が発生してしまい、完全に優れた設計ではなく、早急に改良を要するものである。
【特許文献１】特開２００２−３４１９５７号公報
【考案の開示】
【考案が解決しようとする課題】
【０００５】
本考案の目的は、数個のＵＳＢメモリーを接続することができ、さらに使用者が好みによってＵＳＢメモリー内の音楽データを選択して読み取ることができるＵＳＢオーディオプレーヤーを提供することである。
本考案のもう一つの目的は、接続したＵＳＢメモリーの相互録音を行わせることができるＵＳＢオーディオプレーヤーを提供することである。
本考案のさらにもう一つの目的は、構造が簡単で、操作が容易にでき、使用寿命が長いＵＳＢオーディオプレーヤーを提供することである。
【課題を解決するための手段】
【０００６】
上記の目的を解決するために、請求項１の考案は、ＵＳＢオーディオプレーヤーであり、前記ＵＳＢオーディオプレーヤー上には二つ以上のＵＳＢポート、数個の外接端子、数個の制御ボタンを設けることができ、前記ＵＳＢポートはそれぞれ別々に数個のＵＳＢメモリーをＵＳＢコネクタによって接続することができ、ＵＳＢオーディオプレーヤーによって数個のＵＳＢメモリー内のオーディオファイルを任意に読み取ることができ、そのオーディオ信号を外接端子から外部の装置に出力することができ、さらに数個の制御ボタンによって再生状態を制御することができ、前記ＵＳＢオーディオプレーヤーはＵＳＢメモリー内に保存されている音楽を選択して再生できるだけではなく、数個のＵＳＢメモリーに相互録音を行わせることができることを特徴とするＵＳＢオーディオプレーヤーである。
【０００７】
請求項２の考案は、前記ＵＳＢオーディオプレーヤーは一つのＵＳＢポートだけを設けることができ、一つのＵＳＢメモリーをＵＳＢコネクタによって接続することができ、ＵＳＢオーディオプレーヤーによってＵＳＢメモリー内のオーディオファイルを任意に読み取ることができ、そのオーディオ信号を外接端子から外部の装置に出力することができ、さらに数個の制御ボタンによって再生状態を制御することができることを特徴とする請求項１に記載のＵＳＢオーディオプレーヤーである。
【０００８】
請求項３の考案は、前記外部装置はワイヤードヘッドホンまたはワイヤレスヘッドホンにすることができることを特徴とする請求項１または２に記載のＵＳＢオーディオプレーヤーである。
【０００９】
請求項４の考案は、前記外部装置はスピーカーまたはアンプにすることができることを特徴とする請求項１または２に記載のＵＳＢオーディオプレーヤーである。
【００１０】
すなわち、上記各本考案は、ＵＳＢオーディオプレーヤーであり、前記ＵＳＢオーディオプレーヤー上には二つ以上のＵＳＢポート、数個の外接端子、数個の制御ボタンを設けられており、前記ＵＳＢポートはそれぞれ別々に数個のＵＳＢメモリーをＵＳＢコネクタによって接続することができ、ＵＳＢオーディオプレーヤーによって数個のＵＳＢメモリー内のオーディオファイルを任意に読み取ることができ、スピーカーまたはヘッドホンを外接して再生することができ、本ＵＳＢオーディオプレーヤーはＵＳＢメモリー内に保存されている音楽を選択して再生できるだけではなく、数個のＵＳＢメモリーに相互録音を行わせることができ、公知構造のＵＳＢメモリーのように、相互録音を行う時、必ずコンピュータを使用しなければいけないという制限を解決したものである。
【考案の効果】
【００１１】
本考案のＵＳＢオーディオプレーヤーは数個のＵＳＢメモリーと接続することができ、使用者は好みに応じてＵＳＢメモリー内の音楽ファイルを選択して読み取ることができ、さらにそれによって音楽の数量を倍増させることができ、さらに本考案のＵＳＢオーディオプレーヤーは接続されたＵＳＢメモリーの相互録音を行わせることができ、公知構造におけるＵＳＢメモリーの相互録音を行う時、必ずコンピュータを使用する必要があるという制限を解決でき、さらに構造が簡単であり、操作が容易で、使用寿命が長いという優れた点を具有するＵＳＢオーディオプレーヤーを提供することができた。
【考案を実施するための最良の形態】
【００１２】
本考案の好適な実施例を図面に沿って説明する。図１，２は、本考案の実施例のＵＳＢオーディオプレーヤーの使用方式を示す図と立体図であり、図からも分かるように、本考案のＵＳＢオーディオプレーヤー１は、ＵＳＢオーディオプレーヤー１上に二つのＵＳＢポート１１(２個以上のポート)、数個の外接端子１２、数個の制御ボタン１３を設置することができ、前記ＵＳＢポート１１はそれぞれ二つのＵＳＢメモリー２をＵＳＢコネクタ２１によって接続することができ、ＵＳＢオーディオプレーヤー１は二つのＵＳＢメモリー２内の音楽ファイルを任意に読み取ることができ、前記音楽信号を外接端子１２によって接続された外部装置に出力することができ、さらに数個の制御ボタン１３によって再生状態を制御することができ、前記ＵＳＢオーディオプレーヤー１はＵＳＢメモリー２内に保存されている音楽を選択して再生することができるだけではなく、二つのＵＳＢメモリー２にデータの相互録音を行わせることができる。
【００１３】
図３は、本考案の実施例のＵＳＢオーディオプレーヤーにヘッドホンを接続して使用する様子を示したものであり、図から分かるように、本考案のＵＳＢオーディオプレーヤー１は二つのＵＳＢメモリー２内の音楽ファイルを任意に読み取ることができ、さらに前記音楽信号を外接されているヘッドホン３に出力して使用することができる。
【００１４】
図４は、本考案の実施例のＵＳＢオーディオプレーヤーにスピーカーを外接して使用する様子を示したものであり、図から分かるように、本考案のＵＳＢオーディオプレーヤーは二つのＵＳＢメモリー２内の音楽ファイルを任意に読み取ることができ、さらに前記音楽信号を外接されているスピーカー４（またはアンプ）に出力して使用することができる。
【００１５】
図５は、本考案の実施例のＵＳＢオーディオプレーヤーのもう一つの使用方式を示す図であり、図から分かるように、本考案の実施例のＵＳＢオーディオプレーヤー１ａは一つのＵＳＢメモリー２ａだけを接続することができ、ＵＳＢオーディオプレーヤー１ａはＵＳＢメモリー２ａ内の音楽ファイルを読み取ることによって、前記音楽信号を外接したスピーカーまたはヘッドホンに出力し、再生することができる。
【００１６】
本考案の実施例の進歩性と実用性をさらに明確にするために、公知構造との比較分析を下記に示す。
１  コンピュータは使用者が常に携帯することができないので、使用者がＵＳＢメモリー内の音楽を再生したい時やＵＳＢメモリー内のデータを相互録音したい時、使用上、種々の制限を受ける。
２  公知構造のＵＳＢメモリーにはＭＰ３を再生する機能が備わっているが、メモリー容量に限りがあり、使用者が満足できるほどの音楽を保存することができない。
３  公知構造のＵＳＢメモリーにはＭＰ３を再生する機能が備わっているが、出力上の要素によりスピーカーを外接して楽しむことができない。
４  使用者はもし大容量のＵＳＢメモリーを購入すれば比較的多くの音楽を保存することができ、数量の上での要求は満足できるが、費用が比較的多く掛かり経済的に不利である。
【００１７】
したがって、本考案の実施例の優れている点は以下のようなものである。
１  本考案のＵＳＢオーディオプレーヤーは数個のＵＳＢメモリーと接続することができ、さらに使用者は好みに応じてＵＳＢメモリー内の音楽ファイルを選択して読み取ることができ、さらにそれによって音楽の数量を倍増させることができる。
２  本考案のＵＳＢオーディオプレーヤーは接続されたＵＳＢメモリーの相互録音を行わせることができ、公知構造におけるＵＳＢメモリーの相互録音を行う時、必ずコンピュータを使用する必要があるという制限を解決できる。
３  本考案のＵＳＢオーディオプレーヤーは構造が簡単であり、操作が容易で、使用寿命が長いという優れた点を具有する。
【００１８】
上述の詳細な説明は、本考案の実施可能な実施例を具体的に説明したものであるが、前記実施例は本考案の範囲を制限するものではなく、本考案の技術精神を脱しない同等効果の実施または変更は全て本考案の範囲に含まれる。
【図面の簡単な説明】
【００１９】
【図１】本考案の実施例のＵＳＢオーディオプレーヤーの使用方式を示す図である。
【図２】本考案の実施例のＵＳＢオーディオプレーヤーの立体図である。
【図３】本考案の実施例のＵＳＢオーディオプレーヤーにヘッドホンを接続して使用する様子を示す図である。
【図４】本考案の実施例のＵＳＢオーディオプレーヤーにスピーカーを接続して使用する様子を示す図である。
【図５】本考案の実施例のＵＳＢオーディオプレーヤーのもう一つの使用方式を示す図である。
【符号の説明】
【００２０】
１        ＵＳＢオーディオプレーヤー
１ａ      ＵＳＢオーディオプレーヤー
１１      ＵＳＢポート
１２      外接端子
１３      制御ボタン
２        ＵＳＢメモリー
２ａ      ＵＳＢメモリー
２１      ＵＳＢコネクタ
３        ヘッドホン
４        スピーカー
【図１】
0003106234.tif 000003
【図２】
0003106234.tif 000004
【図３】
0003106234.tif 000005
【図４】
0003106234.tif 000006
【図５】
0003106234.tif 000007